(57)【要約】【課題】マニュアルフォーカス操作にあたって、ピント合わせの使い勝手を向上させた撮影装置および表示方法を提供する。【解決手段】マニュアルフォーカスモード（ＭＦモード）か否かを判定し（Ｓ５３）、ＭＦモードであった場合には距離環が手動操作されたか否かを判定し（Ｓ５９）、距離環が操作された場合には、コントラスト情報とレンズ情報に基づいて、表示拡大倍率を設定し（Ｓ６１〜Ｓ６５）、この設定された表示倍率で、ライブビュー表示を行う（Ｓ６９）。【選択図】  図３
2012008307.tif 000002
【特許請求の範囲】
【請求項１】
被写体からの光束を結像させるための撮影光学系と、
撮影者による操作に応じて、上記撮影光学系の焦点位置を変化させる手動焦点調節手段と、
上記被写体からの光束に基づく画像を繰り返し取得する撮像手段と、
上記撮像手段によって取得した画像に基づいて、被写体像のコントラストを検出するコントラスト検出手段と、
上記撮像手段が取得した画像をライブ映像として表示する表示手段と、
上記撮影光学系の光学的情報と、上記コントラスト検出手段によって検出された上記コントラストに基づいて、上記表示手段に表示される上記ライブ映像の拡大倍率を決定する表示制御手段と、
を具備することを特徴とする撮影装置。
【請求項２】
上記光学的情報は、上記撮影光学系の焦点距離情報であり、
上記表示制御手段は、上記撮影光学系の焦点距離情報と上記コントラストに基づいて、上記拡大倍率を決定することを特徴とする請求項１に記載の撮影装置。
【請求項３】
上記光学的情報は、上記撮影光学系の撮影倍率に関連する情報であり、
上記表示制御手段は、上記撮影光学系の撮影倍率に関連する情報と上記コントラストに基づいて、上記拡大倍率を決定することを特徴とする請求項１に記載の撮影装置。
【請求項４】
上記光学的情報は、上記撮影光学系に装着されたテレコンバータに関する情報であり、
上記表示制御手段は、上記テレコンバータに関する情報と上記コントラストに基づいて、上記拡大倍率を決定することを特徴とする請求項１に記載の撮影装置。
【請求項５】
上記光学的情報は、上記撮影光学系がマクロレンズであるか否かに関する情報であり、
上記表示制御手段は、上記マクロレンズに関する情報と上記コントラストに基づいて、上記拡大倍率を決定することを特徴とする請求項１に記載の撮影装置。
【請求項６】
上記表示制御手段は、上記撮影光学系の光学的情報と、上記コントラスト検出手段によって検出された上記コントラストに基づいて、表示拡大率を求め、この求めた表示拡大率に応じた枠表示を表示することを特徴とする請求項１に記載の撮影装置。
【請求項７】
上記撮影装置は、カメラ本体と、このカメラ本体に脱着可能なレンズユニットから構成され、
上記レンズユニットは、上記撮影光学系と、上記手動焦点調節手段を有し、
上記カメラ本体には、上記撮像手段、コントラスト検出手段、表示手段、および表示制御手段を有し、
上記レンズユニットと上記カメラ本体の間は、通信手段によって接続され、上記カメラ本体は、上記通信手段を介して上記光学的情報を取得する、
ことを特徴とする請求項１に記載の撮影装置。
【請求項８】
距離環が手動操作されたか否かを判定し、
距離環が操作された場合には、コントラスト情報とレンズ情報に基づいて、表示拡大倍率を設定し、
この設定された表示倍率で、ライブビュー表示を行う、
ことを特徴とする表示方法。
【発明の詳細な説明】
【技術分野】
【０００１】
本発明は、撮影装置および表示方法に関し、詳しくは、マニュアルフォーカスが可能な撮影装置および表示方法に関する。
【背景技術】
【０００２】
従来より、マニュアルフォーカスモードを有するカメラが知られている。このカメラは、撮影レンズに設けられた距離環等のピント調節部材を手動で操作することにより、その操作方向および操作量に応じてフォーカスレンズを移動させピント合わせを行うことができる。また、マニュアルフォーカスモード付きのカメラにおいて、背面液晶表示部等にライブビュー画像を表示可能であれば、撮影者はライブビュー画像を見ながら、マニュアルフォーカスを行うことができる。
【０００３】
このようなマニュアルフォーカス付きカメラにおいて、背面液晶表示部の画面表示が小さい場合には、ピントの調整度合いが分かり難く、ピント合わせが困難である。そこで、ピント調節部材を手動で操作すると、この操作に応じて、画像を拡大表示させるカメラが提案されている（特許文献１参照）。
【先行技術文献】
【特許文献】
【０００４】
【特許文献１】特開２００９−１１８５１５号公報
【発明の概要】
【発明が解決しようとする課題】
【０００５】
しかしながら、撮影レンズのピントが大きく外れている場合や、マクロ撮影のように撮影倍率が高い場合には、ライブビュー画像をむやみに拡大表示しても、ピント合わせを行おうとする被写体の画面内の位置や被写体のどの部分を拡大している分かり難く、使い勝手がよくない。
【０００６】
本発明は、このような事情を鑑みてなされたものであり、マニュアルフォーカス操作にあたって、ピント合わせの使い勝手を向上させた撮影装置および表示方法を提供することを目的とする。
【課題を解決するための手段】
【０００７】
上記目的を達成するため第１の発明に係わる撮影装置は、被写体からの光束を結像させるための撮影光学系と、撮影者による操作に応じて、上記撮影光学系の焦点位置を変化させる手動焦点調節手段と、上記被写体からの光束に基づく画像を繰り返し取得する撮像手段と、上記撮像手段によって取得した画像に基づいて、被写体像のコントラストを検出するコントラスト検出手段と、上記撮像手段が取得した画像をライブ映像として表示する表示手段と、上記撮影光学系の光学的情報と、上記コントラスト検出手段によって検出された上記コントラストに基づいて、上記表示手段に表示される上記ライブ映像の拡大倍率を決定する表示制御手段と、を具備する。
【０００８】
第２の発明に係わる撮影装置は、上記第１の発明において、上記光学的情報は、上記撮影光学系の焦点距離情報であり、上記表示制御手段は、上記撮影光学系の焦点距離情報と上記コントラストに基づいて、上記拡大倍率を決定する。
第３の発明に係わる撮影装置は、上記第１の発明において、上記光学的情報は、上記撮影光学系の撮影倍率に関連する情報であり、上記表示制御手段は、上記撮影光学系の撮影倍率に関連する情報と上記コントラストに基づいて、上記拡大倍率を決定する。
【０００９】
第４の発明に係わる撮影装置は、上記第１の発明において、上記光学的情報は、上記撮影光学系に装着されたテレコンバータに関する情報であり、上記表示制御手段は、上記テレコンバータに関する情報と上記コントラストに基づいて、上記拡大倍率を決定する。
第５の発明に係わる撮影装置は、上記第１の発明において、上記光学的情報は、上記撮影光学系がマクロレンズであるか否かに関する情報であり、上記表示制御手段は、上記マクロレンズに関する情報と上記コントラストに基づいて、上記拡大倍率を決定する。
【００１０】
第６の発明に係わる撮影装置は、上記第１の発明において、上記表示制御手段は、上記撮影光学系の光学的情報と、上記コントラスト検出手段によって検出された上記コントラストに基づいて、表示拡大率を求め、この求めた表示拡大率に応じた枠表示を表示する。
第７の発明に係わる撮影装置は、上記第１の発明において、上記撮影装置は、カメラ本体と、このカメラ本体に脱着可能なレンズユニットから構成され、上記レンズユニットは、上記撮影光学系と、上記手動焦点調節手段を有し、上記カメラ本体には、上記撮像手段、コントラスト検出手段、表示手段、および表示制御手段を有し、上記レンズユニットと上記カメラ本体の間は、通信手段によって接続され、上記カメラ本体は、上記通信手段を介して上記光学的情報を取得する。
【００１１】
第８の発明に係わる表示方法は、距離環が手動操作されたか否かを判定し、距離環が操作された場合には、コントラスト情報とレンズ情報に基づいて、表示拡大倍率を設定し、この設定された表示倍率で、ライブビュー表示を行う。
【発明の効果】
【００１２】
本発明によれば、マニュアルフォーカス操作にあたって、ピント合わせの使い勝手を向上させた撮影装置および表示方法を提供することができる。
【図面の簡単な説明】
【００１３】
【図１】本発明の第１実施形態におけるデジタルカメラの電気系を主とする全体構成を示すブロック図である。
【図２】本発明の第１実施形態におけるデジタルカメラのカメラ本体のメインフローを示すフローチャートである。
【図３】本発明の第１実施形態におけるデジタルカメラのライブビュー動作を示すフローチャートである。
【図４】本発明の第１実施形態におけるデジタルカメラの撮影動作を示すフローチャートである。
【図５】本発明の第１実施形態におけるデジタルカメラの表示拡大倍率設定の動作を示すフローチャートである。
【図６】本発明の第１実施形態におけるデジタルカメラの表示拡大倍率設定の動作の第１の変形例を示すフローチャートである。
【図７】本発明の第１実施形態におけるデジタルカメラの表示拡大倍率設定の動作の第２の変形例を示すフローチャートである。
【図８】本発明の第１実施形態におけるデジタルカメラの表示拡大倍率設定の動作の第３の変形例を示すフローチャートである。
【図９】本発明の第１実施形態におけるデジタルカメラの交換レンズのメインフローを示すフローチャートである。
【図１０】本発明の第１実施形態に係わるデジタルカメラにおいて、表示部に被写体のピントが合わない状態で表示されている様子を示す図である。
【図１１】本発明の第１実施形態に係わるデジタルカメラにおいて、表示部に被写体のピントが合った状態で表示されている様子を示す図である。
【図１２】本発明の第１実施形態に係わるデジタルカメラにおいて、表示部に被写体のピントが合い、かつ拡大状態で表示されている様子を示す図である。
【図１３】本発明の第１実施形態に係わるデジタルカメラにおいて、コントラストと、焦点距離と、拡大倍率との関係を示す図である。
【図１４】本発明の第１実施形態に係わるデジタルカメラの第１変形例において、コントラストと、撮影倍率と、拡大倍率との関係を示す図である。
【図１５】本発明の第１実施形態に係わるデジタルカメラの第２変形例において、コントラストと、テレコンバータと、拡大倍率との関係を示す図である。
【図１６】本発明の第１実施形態に係わるデジタルカメラの第３変形例において、コントラストと、マクロレンズと、拡大倍率との関係を示す図である。
【図１７】本発明の第２実施形態におけるデジタルカメラのライブビュー動作を示すフローチャートである。
【図１８】本発明の第２実施形態に係わるデジタルカメラにおいて、表示部に被写体の拡大部分を示す枠表示を表示している様子を示す図である。
【発明を実施するための形態】
【００１４】
以下、本発明を適用したカメラを用いて好ましい実施形態について説明する。本発明の好ましい実施形態に係わるデジタルカメラは、撮像部を有し、この撮像部によって被写体像を画像データに変換し、この変換された画像データに基づいて、本体の背面に配置した表示部に被写体像を動画でライブビュー表示するライブビューが表示機能を有している。撮影者はライブビュー表示を観察することにより、構図やシャッタチャンスを決定する。また、撮影レンズ鏡筒にマニュアルフォーカス用の距離環が設けてあり、この距離環を操作することにより、手動でピント合わせを行うことができる。また、手動でピント合わせを行う際に、撮影レンズのコントラスト状態等、ライブビュー表示の状態に応じて、表示部における被写体像の拡大率を変化させる。レリーズ操作時には、画像データが記録媒体に記録される。記録媒体に記録された画像データは、再生モードを選択すると、表示部に再生表示することができる。
【００１５】
図１は、本発明の第１実施形態に係るデジタルカメラの電気系を主とする全体構成を示すブロック図である。本実施形態に係わるデジタルカメラは、交換レンズ１００とカメラ本体２００が別体で構成され、交換レンズ１００はカメラ本体２００の前面のマウント開口部（不図示）に着脱自在となっている。このマウント開口部を介して交換レンズ１００内の撮影レンズ１０１ａ、１０１ｂ（撮影レンズ１０１ａ、１０１ｂを撮影光学系１０１と総称する）によって形成される被写体光束がカメラ本体１００内に導かれる。交換レンズ１００をカメラ本体２００に装着すると、通信接点３００にて電気的に接続される。また、カメラ本体２００内であって、マウント開口部の近傍には、着脱検知スイッチ２５９が設けられており、交換レンズ１００とカメラ本体２００の装着状態を検知することができる。
【００１６】
交換レンズ１００の内部には、焦点調節および焦点距離調節用の撮影光学系１０１と、開口量を調節するための絞り１０３が配置されている。撮影光学系は光学系駆動機構１０７によって駆動され、絞り１０３は絞り駆動機構１０９によって駆動される。光学駆動機構１０７によって駆動される撮影光学系１０１の位置は、光学位置検出機構１０５によって検出され、撮影光学系１０１の焦点調節レンズ位置（ピント位置）や焦点距離（ズーム位置）を検出することができる。また、交換レンズ１００の周囲には、回動自在な距離環１１２が設けられており、この距離環１１２の回動方向（操作方向）および回動量（操作量）はエンコーダ１１０によって検出される。
【００１７】
光学位置検出機構１０５、光学系駆動機構１０７、絞り駆動機構１０９、およびエンコーダ１１０は、それぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、光学系駆動機構１０７を制御してピント合わせや、ズーム駆動を行うとともに、絞り駆動機構１０９を制御して絞り値制御を行う。
【００１８】
また、レンズＣＰＵ１１１は、光学位置検出機構１０５によって検出された、焦点調節レンズ位置（ピント位置）や焦点距離に関するレンズ情報をカメラ本体２００に送信する。また、レンズＣＰＵ１１１内または図示しない交換レンズ１００内の電気的書き換え可能な不揮発性メモリには、交換レンズ１００の焦点距離情報（ズームレンズの場合には、最短焦点距離および最長焦点距離）、開放絞り値、最小絞り値、撮影可能距離範囲（最至近距離を含む）、レンズの色バランス情報、収差情報、ＡＦのための情報、マクロレンズやテレコンバータ等か否か、レンズの種類等のレンズ情報が記憶されている。また、絞りの絞り状態（開放絞り状態か絞り込状態か）、距離環１１２の操作状態（操作方向、操作量）等の交換レンズ１００の状態に関する情報もレンズ情報である。これらのレンズ情報は、レンズＣＰＵ１１１より通信接点３００を介してカメラ本体２００に送信される。
【００１９】
さらに、レンズＣＰＵ１１１は、絞り駆動機構１０９による絞り１０３の絞り込み完了や絞り開放完了、光学系駆動機構１０７によるレンズ駆動完了の情報も、カメラ本体２００に送信する。
【００２０】
カメラ本体２００内であって、撮影光学系１０１の光軸上であって、撮影光路上には、露光時間制御および撮像素子２２１の遮光用のフォーカルプレーンタイプのシャッタ２０３が配置されている。このシャッタ２０３は、シャッタ駆動機構２１３によって駆動制御される。
【００２１】
シャッタ２０３の後方には、撮像素子ユニット２９０が配置されている。撮像素子ユニット２９０は、防塵フィルタ２０５、赤外カットフィルタ２０９、光学的ローパスフィルタ２１０、撮像素子２２１を一体に構成したユニットであり、密封されたパッケージに一体に収納されており、塵埃がパッケージ内に侵入しないように構成されている。そして、撮像素子ユニット２９０は、ブレ補正機構２６０によって撮影光学系１０１の光軸と垂直なＸＹ平面内で２次元的に変位される。
【００２２】
ブレ補正機構２６０は、駆動源として圧電素子駆動モータ等からなるアクチュエータを備えており、撮像素子ユニット２９０を撮影光学系１０１の光軸と垂直なＸＹ平面内で２次元的に変位する。カメラ本体２００内には、ジャイロを利用した角速度センサ２９７ａが配置されており、角速度センサ２９７ａの出力は角速度検出回路２９７ｂに接続されている。角速度センサ２９７ａは、カメラ本体２００に生じたブレに応じたブレ信号を出力し、角度側検出回路２９７ｂはブレ信号を増幅し、ＡＤ変換する。
【００２３】
角速度センサ２９７ａと角速度検出回路２９７ｂによってブレ検出手段２９７が構成され、角速度検出回路２９７ｂの出力は、シーケンスコントローラ（以下、「ボディＣＰＵ」と称する）２２９に接続されている。ボディＣＰＵ２２９は、ブレ検出手段２９７によって検出されたブレ信号に基づいて、カメラ本体２００のブレを打ち消すようなブレ制御信号を出力し、アクチュエータ駆動回路２９６はブレ補正駆動機構２６０内のアクチュエータに対して駆動信号を出力する。これによって、撮像素子２２１を撮影光学系１０１の光軸と垂直な方向に移動させ、カメラ本体２００に加えられたブレを打ち消し、画像の劣化を防止する撮像素子シフト方式の手振れ補正動作を実行する。
【００２４】
シャッタ２０３の後方には、撮像素子ユニット２９０を構成する防塵フィルタ２０５が配置されている。防塵フィルタ２０５は、カメラ本体２００のマウント開口部や本体内部で発生した塵埃が撮像素子２２１や光学素子に付着し、塵埃の影が被写体像に写し込まれ、見苦しい画像となることを防止する。
【００２５】
防塵フィルタ２０５の周縁部の全周または一部に、圧電素子２０７が固着されている。圧電素子２０７は防塵フィルタ駆動回路２１１に接続されている。圧電素子２０７は、防塵フィルタ駆動回路２１１の駆動信号に基づいて、防塵フィルタ２０５を所定周波数の超音波で振動させる。防塵フィルタ２０５が超音波で振動することにより、防塵フィルタ２０５の前面に付着した塵埃は除去される。
【００２６】
防塵フィルタ２０５の後方には、被写体光束から赤外光成分をカットするための赤外カットフィルタ２０９が配置され、その後方には被写体光束から高周波成分を取り除くための光学的ローパスフィルタ２１０が配置されている。そして、光学的ローパスフィルタ２１０の後方には、撮像素子２２１が配置されており、撮影光学系１０１によって結像された被写体像をアナログ画像信号に光電変換する。本実施形態においては、撮像素子２１１としては、ＣＣＤ（Charge Coupled Device）やＣＭＯＳ（Complementary Metal Oxide Semiconductor）等の二次元固体撮像素子を使用できることはいうまでもない。
【００２７】
撮像素子２２１は撮像素子駆動回路２２３に接続され、撮像素子駆動回路２２３は入出力回路２３９からの制御信号によって駆動制御される。撮像素子駆動回路２２３は、撮像素子２２１からアナログ画像信号を読み出し、この信号を増幅し、アナログデジタル変換（ＡＤ変換）等を行う。撮像素子駆動回路２２３の出力は、前処理回路２２５に接続されており、前処理回路２２５は、ライブビュー表示のための画素間間引処理等、種々の前処理を行う。
【００２８】
前処理回路２２５の出力は、コントラストＡＦ回路２２６に接続され、コントラストＡＦ回路２２６は前処理回路２２５から出力される画像信号の高周波成分（コントラスト信号）の抽出を行う。コントラスト信号を抽出する画像の範囲は、シーケンスコントローラより指示を受け、ＡＦターゲット、撮影画面全体、または拡大表示領域等の領域について抽出を行う。抽出したコントラスト信号はボディＣＰＵ２２９に出力する。
【００２９】
前処理回路２２５の出力はＡＳＩＣ（Application Specific Integrated Circuit  特定用途向け集積回路）２６２内のデータバス２６１に接続される。このデータバス２６１には、画像処理回路２２７、ボディＣＰＵ２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、スイッチ検知回路２５３が接続されている。なお、前述のコントラストＡＦ回路２２６は、本実施形態においては、ＡＳＩＣ２６２の外側に配置したが、ＡＳＩＣ２６２内に配置するようにしても勿論かまわない。
【００３０】
データバス２６１に接続された画像処理回路２２７は、前処理回路２２５から出力されたデジタル画像データのデジタル的増幅（デジタルゲイン調整処理）、色補正、ガンマ（γ）補正、コントラスト補正、白黒・カラーモード処理、ライブビュー表示用処理といった各種の画像処理を行う。また、画像処理回路２２７は、画像データを用いて、画像中に顔の部分が含まれているか否かを判定し、含まれている場合には、顔の位置や大きさを判定する。なお、顔検出は、専用のハードウエアを用いてもよい。また、画像データの輝度分布や彩度の判定も行う。
【００３１】
データバス２６１に接続されているボディＣＰＵ２２９は、フラッシュメモリ２４９に記憶されているプログラムに従って、このデジタルカメラの動作を制御する。また、ボディＣＰＵ２２９は、前述したように、コントラストＡＦ回路２２６からコントラスト信号を入力し、レンズＣＰＵ１１１を介して撮影光学系１０１からなる撮影光学系の自動焦点調節の制御を行う。
【００３２】
また、データバス２６１に接続されている圧縮伸張回路２３１は、ＳＤＲAM２３８に記憶された画像データをＪＰＥＧやＴＩＦＦで圧縮する。なお、画像圧縮はＪＰＥＧやＴＩＦＦに限らず、他の圧縮方法も適用できる。
【００３３】
データバス２６１に接続されているビデオ信号出力回路２３３は、液晶モニタ駆動回路２３５を介して背面液晶モニタ２６とファインダ内液晶モニタ（図中Ｆ内液晶モニタと略記）２９に接続される。ビデオ信号出力回路２３３は、ＳＤＲＡＭ２３８または記録媒体２４５に記憶された画像データを、背面液晶モニタ２６および／またはファインダ内液晶モニタ２９に表示するためのビデオ信号に変換する。
【００３４】
背面液晶モニタ２６は、カメラ本体２００の背面に配置されるが、撮影者が観察できる位置であれば、背面に限らないし、また液晶モニタに限らず有機ＥＬ等、他の表示装置でも構わない。ファインダ内液晶モニタ２９は、ファインダ接眼部を介して撮影者によって観察できる位置に配置されており、背面液晶モニタ２６と同様、液晶に限らず他の表示装置でも構わない。なお、被写体像の観察用として液晶モニタ２６のみとし、ファインダ接眼部およびファインダ内液晶２９を省略することも可能である。
【００３５】
ＳＤＲＡＭ２３８は、ＳＤＲＡＭ制御回路２３７を介してデータバス２６１に接続されており、このＳＤＲＡＭ２３８は、画像処理回路２２７によって画像処理された画像データまたは圧縮伸張回路２３１によって圧縮された画像データを一時的に記憶するためのバッファメモリである。
【００３６】
入出力回路２３９は、上述の防塵フィルタ駆動回路２１１、シャッタ駆動機構２１３、撮像素子駆動回路２２３に接続され、データバス２６１を介してボディＣＰＵ２２９等の各回路とデータの入出力を制御する。通信回路２４１は、通信接点３００を介してレンズＣＰＵ１１１と接続され、またデータバス２６１とも接続されている。通信回路２４１は、レンズＣＰＵ１１１とボディＣＰＵ等の間のデータのやりとりや制御命令の通信を行う。
【００３７】
データバス２６１に接続された記録媒体制御回路２４３は、記憶媒体２４５に接続され、記録媒体２４５への画像データ等の記録と再生の制御を行う。記録媒体２４５は、コンパクトフラッシュ（登録商標）、ＳＤメモリカード（登録商標）、またはメモリスティック（登録商標）等の書き換え可能な記録媒体のいずれかが装填可能となるように構成され、カメラ本体２００に対して着脱自在となっている。その他、マイクロドライブ（登録商標）などのハードディスクユニットや無線通信ユニットを接続可能に構成してもよい。
【００３８】
データバス２６１に接続されているフラッシュメモリ制御回路２４７は、フラッシュメモリ（Flash Memory）２４９に接続され、このフラッシュメモリ２４９は、電気的に書き換え可能な不揮発性メモリであり、カメラの動作を制御するためのプログラムや、制御用の調整値等を記憶する。ボディＣＰＵ２２９は、フラッシュメモリ２４９に記憶されたプログラムや調整値等に従ってデジタルカメラの制御を行う。
【００３９】
データバス２６１に接続されているスイッチ検知回路２５３は、パワースイッチ２５７、その他の各種スイッチ２５５、および前述の着脱検知スイッチ２５９に接続する。パワースイッチ２５７は、カメラ本体２００や交換レンズ１００のパワー供給を制御するためのパワースイッチレバーに連動してオン・オフする。またその他の各種スイッチ２５５は、レリーズ釦に連動するスイッチ、再生モードを指示する再生釦に連動するスイッチ、背面液晶モニタ２６の画面上に表示されるカーソルの動きの指示等を行うための十字釦に連動するスイッチ、選択された各モード等を決定するＯＫボタンに連動するスイッチ撮影モードを指示するモードダイヤルに連動するスイッチ等がある。
【００４０】
なお、レリーズ釦は、撮影者が半押しするとオンする第１レリーズスイッチと、全押しするとオンする第２レリーズスイッチを有している。第１レリーズスイッチ（以下、１Ｒと称する）のオンにより、カメラは焦点検出、撮影レンズのピント合わせ、被写体輝度の測光等の撮影準備動作を行い、第２レリーズスイッチ（以下、２Ｒと称する）のオンにより、撮像素子２２１の出力に基づいて、被写体像の画像データの取り込みを行う撮影動作を実行する。
【００４１】
次に、本実施形態における動作について、図２ないし図５、および図９ないし図１３を用いて説明する。図２は、カメラ本体２００側のボディＣＰＵ２２９によるパワーオンリセット後の動作を示すメインフローである。
【００４２】
カメラ本体２００にバッテリが装填され、または外部電源が接続されると、このフローがスタートする。まずカメラ本体２００のパワースイッチ２５７がオンであるか否かを判定する（Ｓ１）。判定の結果、パワースイッチ２５７がオフの場合には、低消費電力の状態であるスリープ状態となる（Ｓ３）。このスリープ状態は、パワースイッチ２５７のオフからオンによって解除される。一方、ステップＳ１における判定の結果、パワースイッチ２５７がオンであった場合、またはステップＳ３におけるスリープ状態を脱した場合には、電源供給を開始する（Ｓ５）。これにより、カメラ本体２００および交換レンズ１００内の各機構や各回路等に電源が供給される。
【００４３】
次に、レンズ情報の取得を行う（Ｓ７）。このステップでは、レンズＣＰＵ１１１から通信回路２４１を介して、光学位置検出機構１０５によって検出した撮影光学系１０１の焦点位置情報や焦点距離情報を取得し、また、至近側焦点距離・長焦点側焦点距離、開放絞り値、焦点距離毎の露出補正値、周辺光量の補正値（シェーディング）、周辺の色補正値、歪曲収差補正値等の種々の交換レンズ１００の固有情報等のレンズ情報を取得する。また、中間リング、テレコンバータなどのレンズに関わるアクセサリーについても情報を取得し、装着の有無も含めて検出する。
【００４４】
レンズ情報を取得すると、次に動作モードやパラメータ設定を行う（Ｓ９）。このステップでは、図示しないモードダイヤル等によって設定された撮影モードや、ＩＳＯ感度、マニュアル設定されたシャッタ速度や絞り値等の情報があればそれらの撮影条件の読み込みを行う。
【００４５】
続いて、ライブビュー動作を開始する（Ｓ１１）。ここでは、撮像素子２２１からの画像信号に基づいて、被写体像の観察用に、背面液晶モニタ２６に被写体像を動画表示する。ライブビュー動作を開始すると、次に、測光・露光量の演算を行う（Ｓ１３）。このステップでは、撮像素子２２１の出力に基づいて被写体輝度を求め、この被写体輝度を用いて撮影モード・撮影条件に従って適正露光となるシャッタ速度や絞り値等の露光制御値の演算を行う。
【００４６】
測光・露光量の演算を行うと、次に、ライブビュー動作を行う（Ｓ１５）。後述するように、ステップＳ２５において、パワースイッチがオンであった場合には、ステップＳ１３に戻り、この処理ループ中において、このステップＳ１３にて撮像素子２２１の撮像動作・画像処理を行った後に背面液晶モニタ２６の表示が更新されて動画表示によりライブビュー表示を行う。また、このライブビュー動作のサブルーチン中において、マニュアルフォーカスが設定されている場合には、距離環１１２の操作に応じて、拡大表示を行う。このライブビュー動作の詳しいフローについては、図３を用いて後述する。
【００４７】
ライブビュー動作を行うと、次に、再生スイッチがオンか否かの判定を行う（Ｓ１７）。ここでは、再生釦に連動する再生スイッチがオンか否かの判定を行う。この判定の結果、再生スイッチがオンであった場合には、再生動作を行う（Ｓ３１）。この再生動作は、記録媒体２４５に記録されている撮影画像を背面液晶モニタ２６に再生表示する。
【００４８】
再生動作を行うと、またはステップＳ１７における判定の結果、再生スイッチがオンでなかった場合には、次に、メニュースイッチがオンか否かの判定を行う（Ｓ１９）。ここでは、メニュー釦に連動するメニュースイッチがオンか否かの判定を行う。
【００４９】
ステップＳ１９における判定の結果、メニュースイッチがオンであった場合には、メニュー設定動作を行う（Ｓ３３）。このメニュー設定動作では、背面液晶モニタ２６にメニュー画面が表示され、ＩＳＯ感度、ホワイトバランス、マニュアルフォーカス（ＭＦ）モード、オートフォーカス（ＡＦ）モード、防振モード等、種々の設定用の画面上で、十字釦やＯＫ釦を操作することにより、撮影者が種々のモードやパラメータの設定を行う。メニュー設定されたモードを実行する。たとえば、防振モードが設定された場合には、ライブビュー動作中、及び撮影動作時に防振動作が実行される。
【００５０】
ＭＦモードは、距離環１１２を撮影者が手動で操作することにより、ピント合わせを行うモードである。このＭＦモードが設定された場合には、ＭＦアシストモードの設定を行うことができる。ＭＦアシストモードは、距離環１１２を操作する際に、ピント合わせを容易にするために、ライブビューを拡大表示するモードであり、このとき、コントラスト状態や焦点距離等の撮影光学系の光学的情報に基づいて拡大率を変更する。
【００５１】
メニュー設定動作を行うと、またはステップＳ２１における判定の結果、メニュースイッチがオンでなかった場合には、次に、１Ｒスイッチがオンか否かの判定を行う（Ｓ２１）。ここでは、レリーズ釦の半押し動作でオンとなる１Ｒスイッチがオンとなかったか否かの判定を行う。
【００５２】
ステップＳ２１における判定の結果、１Ｒスイッチがオンであった場合には、撮影動作を行う（Ｓ３５）。ここでは、ＡＦモードの場合にはコントラストＡＦによって撮影光学系１０１のピント合わせを行い、測光・露出演算により適正露光となる露出制御値の演算を行う。また、レリーズ釦の全押し動作でオンとなる２Ｒスイッチがオンとなると、露出動作を行い、静止画の画像データを記録媒体２４５に記録する。この撮影動作の詳しいフローについては、図４を用いて後述する。
【００５３】
撮影動作が終わると、またはステップＳ２１における判定の結果、１Ｒスイッチがオンでなかった場合には、次に、レンズ取り外しか否かの判定を行う（Ｓ２３）。ここでは、着脱検知スイッチ２５９によって交換レンズ１００がカメラ本体２００から取り外されたか否かを判定する。この判定の結果、交換レンズ１００が取り外されていた場合には、ライブビュー動作の停止を行い（Ｓ３７）、電源供給の停止を行う（Ｓ３９）。交換レンズ１００が取り外され、撮像素子２２１上に被写体像が形成されないことから、ライブビュー表示を停止し、電源浪費を防止するために電源供給を停止する。
【００５４】
続いて、交換レンズ１００が装着されたか否かの判定を行う（Ｓ４１）。ここでは、取り外された交換レンズ１００が再び装着されたか否かの判定を行う。なお、この判定は着脱検知スイッチ２５９のオンによって割り込み処理によって検知される。この判定によって、レンズ装着が検知されると、ステップＳ５に戻り、前述の動作を実行する。
【００５５】
ステップＳ２３における判定の結果、レンズが取り外されていなかった場合には、次に、パワースイッチ２５７がオンか否かの判定を行う（Ｓ２５）。本実施形態においては、パワースイッチ２５７がオンとなると、パワーオンモードとなり、カメラは動作状態となる。その後、パワースイッチ２５７がオフとなると、パワーオフモードとなり、カメラは不作動状態となる。
【００５６】
ステップＳ２５における判定の結果、パワースイッチ２５７がオンであった場合には、パワーオンモードであることから、ステップＳ１３に戻り、前述の動作を実行する。すなわち、電源がオンの状態では、ステップＳ１３〜Ｓ２３を繰り返し実行する。一方、ステップＳ２５における判定の結果、パワースイッチ２５７がオンでなかった場合には、パワーオフモードとなり、電源供給を停止する（Ｓ２７）。電源供給を停止すると、ステップＳ３に戻り、前述のスリープ状態となる。
【００５７】
次に、ステップＳ１５におけるライブビュー動作について、図３に示すフローチャートを用いて説明する。ライブビュー動作のフローに入ると、まず、撮像処理を行う（Ｓ５１）。ここでは、撮像素子２２１において画像データの取得を行い。
【００５８】
撮像処理を行うと、次に、現在のカメラのフォーカスモードがＭＦモードに設定されているか否かを判定する（Ｓ５３）。前述したように、ＭＦモードはステップＳ３３におけるメニュー設定動作において設定するので、このステップにおいて、ＭＦモードが選択されたか否かの判定を行う。
【００５９】
ステップＳ５３における判定の結果、ＭＦモードが設定されていた場合には、次に、レンズ通信を行う（Ｓ５５）。このステップでは、交換レンズ１００内のレンズＣＰＵ１１１と通信を行い、交換レンズ１００の種類や状態に関する情報を取得する。レンズ情報としては、例えば焦点距離、焦点調節レンズ位置（ピント位置）、マクロレンズか否か、撮影可能距離範囲等に関するものである。また、絞り１０３の状態や、距離環１１２が操作されているか、また操作されている場合には、操作方向や操作量についての情報を取得する。
【００６０】
レンズ通信を行うと、次に、カメラがＭＦアシストモードに設定されているか否かを判定する（Ｓ５７）。前述したように、ＭＦアシストモードはメニュー画面において設定することから、ここでは、メニュー画面においてＭＦアシストモードが設定されたか否かを判定する。
【００６１】
ステップＳ５７における判定の結果、ＭＦアシストモードであった場合には、次に、距離環が操作されたか否かを判定する（Ｓ５９）。前述のステップＳ５５におけるレンズ通信において、距離環１１２の操作状態に関する情報を取得していることから、この情報に基づいて判定する。
【００６２】
ステップＳ５９における判定の結果、距離環１１２が操作された場合には、次に、コントラスト検出を行う（Ｓ６１）。このステップでは、撮像素子２２１から取得した画像データに基づいて、コントラストＡＦ回路２２６がコントラスト信号を検出する。ここで、コントラスト信号の抽出範囲は、背面液晶モニタ２６に表示している範囲である。したがって、拡大表示されていない場合は、画面全体のコントラストを検出し、すでに拡大表示されている場合は画像のうちの拡大された部分に対応する画像のコントラストを検出する。
【００６３】
コントラスト検出を行うと、次に、レンズ情報の受信を行う（Ｓ６３）。ここでは、交換レンズ１００内のレンズＣＰＵ１１１と通信を行い、交換レンズ１００の現在の状態に関する情報を取得する。状態情報とは、具体的には絞り込み量、ズームレンズの焦点距離、撮影光学系１０１０のフォーカス位置、焦点距離をアップするためのテレコンバータの装着有無等である。
【００６４】
レンズ情報の受信を行うと、次に、表示拡大倍率設定を行う（Ｓ６５）。ステップＳ５７においてＭＦアシストモードが設定されており、またステップＳ５９において距離環１１２が操作されたことを検出したことから、このステップＳ６５において、ライブビュー表示の拡大を行うにあたっての拡大倍率の設定を行う。表示拡大倍率の設定にあたっては、ステップＳ６１において検出したコントラストと、ステップＳ６３において取得した交換レンズ１００の状態に関する情報に基づいて行う。この表示拡大倍率設定の詳しいフローについては、図５を用いて後述する。なお、コントラストの検出結果に応じて表示拡大倍率の切り換えを速やかに行うと、表示が急激に変化して操作しづらいことになるので、表示の切り換えに時間遅れを持たせたり、判定方法にヒステリシスを持たせて安定した表示の切り換えを行うようにしてもよい。
【００６５】
ステップＳ５３における判定の結果、ＭＦモードではない場合はＡＦモードであるので、次に、コントラストＡＦを行う（Ｓ７１）。このステップでは、撮像素子２２１から取得した画像データに基づいて、コントラストＡＦ回路２２６がコントラスト信号を抽出し、ボディＣＰＵ２２９は、コントラスト信号がピークとなるように撮影光学系１０１のピント合わせを行う。
【００６６】
ステップＳ７１においてコントラストＡＦを行うと、またはステップＳ５７における判定の結果、ＭＦアシストモードが設定されていなかった場合、またはステップＳ５９における判定の結果、距離環の操作がなされていなかった場合には、表示拡大倍率を１倍に設定する（Ｓ７３）。ＡＦモードが設定されている場合や、ＭＦモードが設定されていてもＭＦアシストモードが設定されていない場合には、またはＭＦアシストモードが設定されていても距離環が操作されていない場合には、ライブビュー表示の被写体像の拡大表示を行わないことから、倍率を１倍に設定する。
【００６７】
ステップＳ７３において表示拡大倍率を１倍に設定すると、またはステップＳ６５において表示拡大倍率を設定すると、次に、画像処理を行う（Ｓ６７）。ここでは、ステップＳ５１において撮像処理を行った画像データに対して、前処理回路２２５や画像処理回路２２７において画像処理を行う。
【００６８】
画像処理を行うと、次に、ライブビュー表示を行う（Ｓ６９）。ここでは、画像処理された画像データを用いて、背面液晶モニタ２６やファインダ内液晶モニタ２９にライブビュー表示を行う。ＭＦアシストモードが設定されている場合には、ステップＳ６５において設定された表示拡大倍率で被写体がライブビュー表示され、それ以外のモードの場合には、倍率１で被写体がライブビュー表示される。
【００６９】
次に、ステップＳ６５における表示拡大倍率設定について、図５に示すフローチャートを用いて説明する。表示拡大倍率設定のフローに入ると、まず、防振モードが設定されているか否かの判定を行う（Ｓ１１１）。防振モードに設定されていると、ブレ検出手段２９７によって検出されたブレ量に基づいて、ブレを打ち消すように、ブレ補正駆動機構２６０が撮像素子２２１を駆動する。防振モードは、メニュー画面において設定することから、このステップでは、メニュー画面において防振モードが設定されたか否かの判定を行う。
【００７０】
ステップＳ１１１における判定の結果、防振モードが設定されていなかった場合には、焦点距離とコントラストに応じた拡大倍率を設定する（Ｓ１１３）。この倍率設定としては、例えば、図１３（ａ）に示すように、焦点距離が２００ｍｍ以上かつコントラストが低い場合に拡大倍率を１倍とし、コントラストが上がるにつれ、また焦点距離が短くなるにつれ、拡大倍率を高くし、焦点距離が１００ｍｍ以下でコントラストが高い場合には、拡大倍率を７倍とする。すなわち、本実施形態においては、コントラストが低いほど、また焦点距離が大きいほど拡大倍率が小さくなるようにしている。
【００７１】
拡大倍率を求めるにあたって使用するコントラストは、コントラストＡＦ回路２２６によって、拡大表示領域等の所定の画像領域に基づいて算出され出力されるコントラスト値を、所定のコントラスト判定値と比較して、高/中/低の３段階のいずれに属するか判定し、図１３（ａ）に示す関係図において、焦点距離に応じた項目を参照しコントラストに応じた拡大倍率を選択する。
【００７２】
一方、ステップＳ１１１における判定の結果、防振モードが設定されていた場合には、焦点距離とコントラストと防振モードに応じた拡大倍率を設定する（Ｓ１１５）。この倍率設定としては、例えば、図１３（ｂ）に示すように、焦点距離が２００ｍｍ以上かつコントラストが低い場合に拡大倍率を１倍とし、コントラストが上がるにつれ、また焦点距離が短くなるにつれ、拡大倍率を高くし、焦点距離が１００ｍｍ以下でコントラストが高い場合には、拡大倍率を１０倍とする。
【００７３】
防振モードが設定されている場合においても、拡大倍率は、コントラストが低いほど、また焦点距離が大きいほど拡大倍率が小さくなるようにしている。そして、防振モードが設定されている場合は、防振動作により手ブレの影響が軽減されるので、防振モードではない場合に比較して拡大倍率をより大きく設定している。
【００７４】
ステップＳ１１３またはステップＳ１１５において、拡大倍率の設定を行うと、元のフローに戻る。
【００７５】
このように、表示拡大倍率設定のフローにおいては、焦点距離とコントラストに応じて表示の拡大倍率を適切に設定するようにしている。すなわち、ピントが甘い状態、言い換えるとコントラストが「低」の状態で、図１０に示すように表示を拡大し過ぎて、肉眼で被写体を認識することができない状態になくすことができる。コントラストが低い場合であっても、図１１に示すように、認識可能な程度の拡大倍率とすることができ、マニュアルフォーカスの使い勝手を向上させることができる。
【００７６】
また、マニュアルフォーカス動作によりピントが合っていくに従ってコントラストが高くなるので、図１１から図１２への変化のように表示が拡大されて、見やすいと同時に合焦に近づく様子を容易に認識することができる。
【００７７】
次に、ステップＳ３５における撮影動作について、図４に示すフローチャートを用いて説明する。撮影動作のフローに入ると、まず、ＡＦモードか否かを判定する（Ｓ８１）。メニュー画面においてＡＦモードを設定することから、ここでは、メニュー画面におけるモード設定に基づいて判定する。
【００７８】
ステップＳ８１における判定の結果、ＡＦモードであった場合は、コントラストＡＦを実行する（Ｓ８３）。ここでは、コントラストＡＦ回路２２６によって抽出されたコントラスト信号に基づいて、撮影光学系１０１の駆動方向を決め、この方向に駆動しながらコントラストのピーク位置を探し、検出されたピーク位置を撮影光学系１０１の合焦点として停止する。なお、ＭＦモードが設定されている場合には、後述するように、距離環１１２の操作に応じて、レンズＣＰＵ１１１が撮影光学系１０１の手動調節を行う。
【００７９】
コントラストＡＦを実行すると、またはステップＳ８１における判定の結果、ＡＦモードでなかった場合、すなわちＭＦモードであった場合には、次に、測光・露光量演算を行う（Ｓ８５）。ここでは、ステップＳ１３と同様に、撮像素子２２１からの出力に基づいて、被写体輝度を測光し、この測光値に基づいて適正露光となる露出制御値を演算する。
【００８０】
測光・露出演算を行うと、次に、２Ｒスイッチがオンか否かの判定を行う（Ｓ８７）。ここでは、レリーズ釦の全押しがなされ、２Ｒスイッチがオンとなったか否かを判定する。ステップＳ８７における判定の結果、２Ｒスイッチがオンでなかった場合には、次に、１Ｒスイッチがオンか否かの判定を行う（Ｓ８９）。この判定の結果、１Ｒスイッチがオンでなかった場合には、レリーズ釦から撮影者の指等が離れたことから、撮影動作のフローを終了し、元のフローに戻る。
【００８１】
一方、ステップＳ８９における判定の結果、１Ｒスイッチがオンであった場合には、ステップＳ８７に戻る。撮影者がレリーズ釦の半押し状態を維持している場合には、ステップＳ８７、Ｓ８９を交互に検知する待機状態となる。
【００８２】
ステップＳ８７における判定の結果、２Ｒスイッチがオンとなると、撮影準備動作から露光動作に移る。まず、絞り込み実行指示を行う（Ｓ９１）。ここでは、レンズＣＰＵ１１１に対して、ステップＳ８５において演算された絞り値を送信すると共に、絞り１０３の絞り込みを指示し、絞り駆動機構１０９によって送信した絞り値まで絞り込み動作を実行させる。続いて、絞り込み完了か否かの判定を行う（Ｓ９３）。絞り込みが完了すると、レンズＣＰＵ１１１から完了信号が送信されてくるので、この信号が送信されるのを待つ。
【００８３】
ステップＳ９３における判定の結果、絞り込みが完了すると、次に、露出動作を行う（Ｓ９５）。この露出動作においては、まず、シャッタ２０３の先幕を走行させると共に、撮像素子２２１の画素信号の電荷蓄積を開始させる。露出演算によって決められたシャッタ秒時または手動設定されたシャッタ秒時が経過すると、シャッタ２０３の後幕を走行させ、撮像素子２２１の電荷蓄積を停止する。
【００８４】
露出動作が終わると、次に、絞り開放の実行を指示する（Ｓ９７）。ここでは、レンズＣＰＵ１１１に対して、絞り１０３の絞り開放を指示し、絞り駆動機構１０９によって開放絞り値まで開放動作を実行させる。続いて、絞り開放完了か否かの判定を行う（Ｓ９９）。絞り開放が完了すると、レンズＣＰＵ１１１から開放完了信号が送信されてくるので、この信号が送信されるのを待つ。
【００８５】
ステップＳ９９における判定の結果、絞り開放が完了すると、次に画像処理を行う（Ｓ１０１）。ここでは、撮像素子駆動回路２２３によって読み出された撮像素子２２１の画像信号を、前処理回路２２５、画像処理回路２２７、圧縮伸張回路２３１等によって画像処理を行う。画像処理を行うと、次に、画像記録を行う（Ｓ１０３）。ここでは、圧縮処理等がなされた画像データを記録媒体２４５に記録する。画像記録が終わると、撮影動作のフローを終了し、元のフローに戻る。
【００８６】
次に、交換レンズ１００内のレンズＣＰＵ１１１の動作を、図９に示すフローチャートを用いて説明する。この交換レンズメインフローは、交換レンズのパワーオンリセットすなわち、交換レンズ１００をカメラ本体２００に装着し、カメラ本体２００側の内蔵電池または外部電源によって電源が供給されるとスタートする。
【００８７】
レンズ側のパワーオンリセットがスタートすると、まず、レンズ情報要求か否かの判定を行う（Ｓ１５１）。ステップＳ７、Ｓ５５、Ｓ６３等において、交換レンズ１００の焦点距離情報や、焦点位置情報や、交換レンズ１００の状態情報等の種々のレンズ情報が、ボディＣＰＵ２２９によって要求される。そこで、ステップＳ１５１において、これらのレンズ情報の要求があるか否かの判定を行う。
【００８８】
ステップＳ１５１における判定の結果、レンズ情報の要求が有った場合には、レンズ情報の送信を行う（Ｓ１７１）。ここでは、レンズＣＰＵ１１１は通信回路２４１を介して、ボディＣＰＵ２２９にレンズ情報を送信する。
【００８９】
ステップＳ１５１における判定の結果、レンズ情報要求がなかった場合には、次に、絞り込み実行の指示を受けているか否かの判定を行う（Ｓ１５３）。ボディＣＰＵ２２９は、ステップＳ９１において、絞り込み実行指示を行い、この場合には、絞り込む絞り値の情報も送信する。
【００９０】
ステップＳ１５３における判定の結果、絞り込み実行指示があった場合には、絞り込み動作の実行を行う（Ｓ１７３）。ここでは、レンズＣＰＵ１１１は絞り駆動機構１０９に対して、受信した絞り値まで絞り込み動作を実行させる。絞り込み動作が終わると、ボディＣＰＵ２２９に対して、絞り込み完了信号を送信する。
【００９１】
ステップＳ１５３における判定の結果、絞り込み実行指示を受けていなかった場合には、次に、絞り開放実行指示を受けているか否かの判定を行う（Ｓ１５５）。ボディＣＰＵ２２９は、ステップＳ９７において、絞り開放実行指示を行う。
【００９２】
ステップＳ１５５における判定の結果、絞り開放実行指示があった場合には、絞り開放動作の実行を行う（Ｓ１７５）。ここでは、レンズＣＰＵ１１１は絞り駆動機構１０９に対して、開放絞り値まで開放動作を実行させる。絞り開放動作が終わると、ボディＣＰＵ２２９に対して、開放完了信号を送信する。
【００９３】
ステップＳ１５５における判定の結果、絞り開放実行指示を受けていなかった場合には、次に、レンズ駆動実行指示を受けているか否かの判定を行う（Ｓ１５７）。ボディＣＰＵ２２９は、ステップＳ７１およびＳ８３におけるコントラストＡＦにおいて、駆動方向と駆動量の情報と共にレンズ駆動実行指示を行う。
【００９４】
ステップＳ１５７における判定の結果、レンズ駆動実行指示があった場合には、レンズ駆動を実行する（Ｓ１７７）。ここでは、レンズＣＰＵ１１１は、光学系駆動機構１０７に対して、受信した駆動方向と駆動量で撮影光学系１０１の駆動を指示する。駆動が完了すると、ボディＣＰＵ２２９に対して、レンズ駆動完了信号を送信する。
【００９５】
ステップＳ１７１、Ｓ１７３、Ｓ１７５、Ｓ１７７において各動作を実行すると、ステップＳ１５１に戻る。
【００９６】
ステップＳ１５７における判定の結果、レンズ駆動実行指示がなかった場合には、次に、カメラ本体がＭＦモードに設定されているか否かの判定を行う（Ｓ１５９）。ここでは、カメラ本体１００と通信を行い、ＭＦモードが設定しているか否かの情報を取得し判定する。
【００９７】
ステップＳ１５９における判定の結果、ＭＦモードに設定されていた場合は、距離環１１２の操作がなされたかを検出する（Ｓ１６１）。レンズＣＰＵ１１１は距離環１１２の状態を検知し判定する。この判定の結果、距離環が操作されていなかった場合、またはステップＳ１５９における判定の結果、ＭＦモードでなかった場合には、ステップＳ１５１に戻る。
【００９８】
ステップＳ１６１における判定の結果、距離環１１２の操作がなされた場合には、距離環の操作に応じたレンズ駆動を行う（Ｓ１６３）。このステップでは、距離環１１２の操作方向と操作量を検出し、この検出結果に応じてレンズ駆動を実行する。レンズ駆動を行うと、次に、距離環操作中の情報をカメラ本体に送信する（Ｓ１６５）。このステップにおいて、カメラ本体との通信によって距離環操作中の情報を送信する際に、たとえばフォーカスレンズの位置情報等をカメラ本体に送信するようにしてもよい。距離環操作中の情報を送信すると、ステップＳ１６１に戻る。
【００９９】
このように、ステップＳ１６１〜Ｓ１６５の処理ループにより、距離環の操作に応じてフォーカスレンズを駆動してマニュアルフォーカス動作を行う。なお、本実施形態においては、ステップＳ１６５を実行すると、ステップＳ１６１に戻るようにしているが、これに限らず、ステップＳ１５１に戻るようにしてもよい。この場合には、マニュアルフォーカス動作中に、レリーズ釦が全押しされた場合に迅速にレリーズ動作を実行することができる。
【０１００】
以上説明したように、本発明の第１実施形態においては、マニュアルフォーカス動作の際に、交換レンズの光学特性情報である焦点距離情報と、被写体像のコントラストとに基づいて、ライブビュー動作時の背面液晶モニタ２６の表示の拡大倍率を設定するようにしている。このため、目視によりフォーカシングを行うことに適した画像表示を行うことができる。
【０１０１】
また、防振モードに設定されている場合には、非設定の場合に比較して、拡大倍率が大きくなるようにしている。このため、手振れのおそれがある場合には低倍率で拡大表示することから、画像がブレているにも関わらず、ライブビュー画像をむやみに拡大してしまうことがなく、ピント合わせしようとする被写体の画面内の位置や被写体のどの部分を拡大しているのかが容易に認識することが可能となり、マニュアルフォーカス操作によるピント合わせの使い勝手が向上する。
【０１０２】
次に、図５に示した表示拡大倍率設定の第１の変形例の動作について、図６に示すフローチャートを用いて説明する。
【０１０３】
表示拡大倍率設定のフローに入ると、まず、撮影倍率の計算を行う（Ｓ１２１）。ここでは、交換レンズ１００との通信により取得した焦点距離と焦点調節レンズ位置（被写体距離に相当する情報）により撮影倍率（＝焦点距離／被写体距離）を求める。
【０１０４】
撮影倍率の計算を行うと、次に、撮影倍率に応じて拡大倍率の設定を行う（Ｓ１２３）。ここでは、撮影倍率とコントラストに応じた拡大倍率の設定を行う。例えば、図１４に示すように、撮影倍率が１００以上かつコントラストが低い場合に拡大倍率を１倍とし、コントラストが上がるにつれ、また撮影倍率が小さくなるにつれ、拡大倍率を高くし、撮影倍率１０以下でコントラストが高い場合には、拡大倍率を７倍とする。すなわち、本実施形態においては、コントラストが低いほど、また撮影倍率が大きいほど拡大倍率が小さくなるようにしている。
【０１０５】
撮影倍率に応じて、表示の拡大倍率を設定するので、交換レンズの種類、たとえば望遠レンズ、広角レンズやズームレンズのズーム位置等にかかわらず適切な拡大倍率の設定を行うことができる。なお、撮影倍率を、交換レンズ１００内のレンズＣＰＵ１１１により算出し、レンズ通信の際に撮影倍率情報として、交換レンズ１００からカメラ本体２００のボディＣＰＵ２２９に送信してもよい。拡大倍率の設定を行うと、元のフローに戻る。
【０１０６】
次に、図５に示した表示拡大倍率設定の第２の変形例の動作について、図７に示すフローチャートを用いて説明する。
【０１０７】
表示拡大倍率設定のフローに入ると、まず、テレコンバータ（図ではテレコンと略記）が装着されているか否かの判定を行う（Ｓ１３１）。交換レンズとの通信の際に、テレコンバータとも通信を行い、テレコンバータの装着の有無の情報も取得することから、この情報に基づいて判定する。不図示のテレコンバータは、交換レンズ１００とカメラボディ２００の間に装着可能な構成を有し、その内部にはテレコンバータＣＰＵが含まれ、マウント接点３００を介してカメラ本体２００の通信回路２４１と通信を行うことが可能である。テレコンバータは倍率が異なるタイプが複数用意されている。
【０１０８】
ステップＳ１３１における判定の結果、テレコンバータが装着されていた場合は、テレコンバータの倍率と、コントラストに応じた拡大倍率を設定する（Ｓ１３３）。ここでは、テレコンバータとの通信により取得したテレコンバータの倍率とコントラストに基づき、拡大倍率を、例えば、図１５に示すようなテレコンバータ・コントラストと拡大倍率を示すテーブルから求める。図１５に示す例では、テレコンバータの倍率は２倍と１．４倍の２種類があり、テレコンバータの倍率が高い程、またコントラストが低い程、拡大倍率を小さくしている。
【０１０９】
ステップＳ１３１における判定の結果、テレコンバータが装着されていない場合は、コントラストに応じた拡大倍率を設定する（１３５）。ここでは、コントラストが高い程、拡大倍率を高く設定する。図１５に示す例では、テレコンバータ装着なしの欄において、コントラストに応じた拡大倍率となる。
【０１１０】
ステップＳ１３３またはステップＳ１３５において、拡大倍率を設定すると、元のフローに戻る。
【０１１１】
このように本変形例においては、テレコンバータが装着されているか否を判定し、テレコンバータが装着されている場合には、テレコンバータの倍率に応じて拡大倍率を設定している。テレコンバータが装着された撮影倍率が高い撮影の場合には、表示拡大倍率をより小さく設定することができる。テレコンバータが装着された場合に、ライブビュー画像をむやみに拡大してしまうことがなく、ピント合わせしようとする被写体の画面内の位置や被写体のどの部分を拡大しているのかが容易に認識することが可能となり、マニュアルフォーカス操作によるピント合わせの使い勝手が向上する。
【０１１２】
次に、図５に示した表示拡大倍率設定の第３の変形例の動作について、図８に示すフローチャートを用いて説明する。
【０１１３】
表示拡大倍率設定のフローに入ると、まず、交換レンズがマクロレンズか否かを判定する（Ｓ１４１）。ここでは、交換レンズ１００との通信の際に、マクロレンズであるか否かの情報を取得していることから、この情報に基づいて判定する。
【０１１４】
ステップＳ１４１における判定の結果、マクロレンズが装着されていた場合には、次に、マクロレンズ種類とコントラストに応じた拡大倍率の設定を行う（Ｓ１４３）。ここでは、例えば、図１６のマクロレンズの欄におけるコントラストに応じた拡大倍率を設定する。この時、レンズ通信により取得した最大倍率等のマクロレンズの種類に関する情報に応じた複数の拡大倍率を選択可能としてもよい。
【０１１５】
一方、ステップＳ１４１における判定の結果、マクロレンズが装着されていない場合には、次に、コントラストに応じた拡大倍率を設定する（Ｓ１４５）。ここでは、コントラストが高い程、拡大倍率を高く設定する。図１６に示す例では、マクロレンズ以外の欄において、コントラストに応じた拡大倍率となる。
【０１１６】
ステップＳ１４３またはステップＳ１４５において、拡大倍率を設定すると、元のフローに戻る。
【０１１７】
このように本変形例においては、マクロレンズが装着されているか否を判定し、マクロレンズが装着されている場合は、マクロレンズの撮影倍率に応じて表示の拡大倍率を設定している。マクロレンズが装着された高倍率撮影の場合には、表示拡大倍率をより小さく設定することができる。マクロ撮影のように撮影倍率が高い場合においてライブビュー画像をむやみに拡大してしまうことがなく、ピント合わせしようとする被写体の画面内の位置や被写体のどの部分を拡大しているのかが容易に認識することが可能となり、マニュアルフォーカス操作によるピント合わせの使い勝手が向上する。
【０１１８】
次に、本発明の第２実施形態について、図１７および図１８を用いて説明する。本発明の第１実施形態においては、ＭＦアシストモードが設定されていると、距離環１１２の操作に応じてマニュアルフォーカスが行われ、その際、光学的情報およびコントラスト情報に応じて図１１および図１２に示すように、ライブビュー画像が拡大表示された。しかし、第１実施形態においては、拡大表示される前に、いずれの領域が拡大表示されるかが不明であった。そこで、本実施形態においては、拡大表示される前に、拡大する領域を枠表示で示すようにしている。
【０１１９】
本実施形態の構成は、図１に示した第１実施形態における電気的構成と同様であり、また、図２ないし図９に示したフローチャートも、図３に示したライブビュー動作のフローチャートを図１７に示すフローチャートに置き換えるだけであるので、この相違するフローチャートを中心に説明する。
【０１２０】
図１７に示すフローチャートのうち、ステップＳ５１からＳ６９の処理は、図３に示したフローと同様であり、ステップＳ５９における判定の結果がＮｏであった場合が相違する。ステップＳ５７における判定の結果が、ＭＦアシストモードが設定されており、また、ステップＳ５９における判定の結果が、距離環操作がなされていなかった場合には、ステップＳ２０１以下において、拡大領域の枠表示の処理を行う。
【０１２１】
まず、ステップＳ６１と同様に、コントラスト検出を行い（Ｓ２０１）、ステップＳ６３と同様に、レンズ情報の受信を行う（Ｓ２０３）。続いて、表示倍率の演算を行う（Ｓ２０５）。ここでは、図５ないし図８のフローで説明したと同様に、図１３〜図１６を用いて、拡大倍率を求める。
【０１２２】
表示倍率を求めると、次に、枠表示の表示を行う（Ｓ２０７）。ここでは、現在、表示拡大倍率が１倍で表示されている場合に、ステップＳ２０５で求めた表示拡大倍率に対応する枠表示を表示する。枠表示の表示を行うと、次に、画像処理を行う（Ｓ２０９）。ここでは、表示拡大倍率が１倍のライブビュー画像で画像処理を行う。続いて、ライブビュー表示を行う（Ｓ２１１）。ここでは、表示拡大倍率が１倍のライブビュー画像に枠表示が重畳された画像が表示される。ライブビュー表示を行うと、元のフローに戻る。
【０１２３】
本実施形態における背面液晶モニタ２６におけるライブビュー表示を図１８に示す。この図１８においては、次に拡大する領域を示す枠表示４００を画面内に表示させている。マニュアルフォーカス動作を行い、ピントが合ったことからコントラストが向上し、一時的にマニュアルフォーカスを停止した場合に、次に拡大表示する予定の領域を示すものである。
【０１２４】
たとえば、図８において、「マクロレンズ」かつコントラスト「低」の条件の場合であれば、拡大倍率１倍で表示されている。そして、マニュアルフォーカス動作によりピントが合焦に近づくに応じて、コントラストが「低」から「中」に変化する場合に拡大倍率２倍となる予定であるが、その際に拡大される領域を枠表示４００にて示している。
【０１２５】
本実施形態においては、拡大表示の予定領域を枠表示することにより、撮影者が拡大される領域を予め知ることができるので、構図の設定等において使い勝手のよい撮影装置を提供することができる。
【０１２６】
なお、本実施形態においては、図１８において、表示の拡大倍率を大きくする代わりに、枠表示４００から４０１に変更し、拡大する領域に対応する枠表示を変化させてもよい。あるいは、枠表示４００を所定時間だけ表示した後に、表示を拡大するような処理とし、拡大する前に拡大する領域を目視で確認してから、拡大表示を見ながらマニュアルフォーカスを行うように構成すれば、さらに使い勝手を向上させることが可能である。また、拡大表示する範囲を示す枠表示を十字釦等の操作釦により上下左右に移動させることにより、ユーザが構図を変更することなく、狙った箇所のピント調節を行うことが可能となるようにしてもよい。さらに、コントラストの検出結果に応じて表示拡大倍率の切り換えを速やかに行うと、表示が急激に変化して操作しづらいことになるので、表示の切り換えに時間遅れを持たせたり、判定方法にヒステリシスを持たせて安定した表示の切り換えを行うようにしてもよい。
【０１２７】
以上、説明したように、本発明の各実施形態や各変形例においては、焦点距離情報、撮影倍率情報、テレコンバータ装着、マクロレンズ装着等の光学的情報と、コントラスト情報に基づいて、背面液晶モニタ２６等の表示部に表示されるライブビュー画像の拡大倍率を変化させている。このため、マニュアルフォーカス操作にあたって、ピント合わせの使い勝手を向上させることができる。
【０１２８】
なお、本発明の各実施形態や各変形例においては、交換レンズ１００とカメラ本体２００を別体に構成していたが、これに限らず、交換レンズ１００とカメラ本体２００を一体に構成しても良い。
【０１２９】
また、図１３ないし図１６に示した拡大倍率を求めるための関係図では、コントラスト判定値３分割としたが、これに限らず、分割数を多くしてもよい。また、図１３では焦点距離を３分割、図１４では撮影倍率を３分割、図１５ではテレコンバータの倍率を２段階としたが、これに限らず分割数を多くしてもよい。分割数をより多くすることによりきめ細やかな設定を行うことが可能である。また、コントラスト判定値は、撮影条件や撮影モード、交換レンズの光学的仕様、輝度等の被写体条件に応じて適宜変更してもよい。
【０１３０】
また、本発明の各実施形態や各変形例においては、背面液晶モニタ２６にライブビュー表示を行い、かつＭＦアシストモードの際に拡大表示を行おうようにしていたが、これに限らず、例えば、背面液晶モニタ２６の代わりにファインダ内液晶モニタ２９において、表示する拡大倍率を調節してもよい。
【０１３１】
また、本発明の各実施形態や各変形例においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。いずれにしても、マニュアルフォーカスが可能な撮影機器であれば、本発明を適用することができる。
【０１３２】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１３３】
２６・・・背面液晶モニタ、２９・・・ファインダ内液晶モニタ、１００・・・交換レンズ、１０１・・・撮影光学系、１０１ａ・・・撮影レンズ、１０１ｂ・・・撮影レンズ、１０３・・・絞り、１０５・・・光学位置検出機構、１０７・・・光学系駆動機構、１０９・・・絞り駆動機構、１１０・・・エンコーダ、１１１・・・レンズＣＰＵ、１１２・・・距離環、２００・・・カメラ本体、２０３・・・シャッタ、２０５・・・防塵フィルタ、２０７・・・圧電素子、２０９・・・赤外カットフィルタ、２１０・・・光学的ローパスフィルタ、２１１・・・防塵フィルタ駆動回路、２１３・・・シャッタ駆動機構、２２１・・・撮像素子、２２３・・・撮像素子駆動回路、２２５・・・前処理回路、２２６・・・コントラストＡＦ回路、２２７・・・画像処理回路、２２９・・・ボディＣＰＵ、２３１・・・圧縮伸張回路、２３３・・・ビデオ信号出力回路、２３５・・・液晶モニタ駆動回路、２３７・・・ＳＤＲＡＭ制御回路、２３８・・・ＳＤＲＡＭ、２３９・・・入出力回路、２４１・・・通信回路、２４３・・・記録媒体制御回路、２４５・・・記録媒体、２４７・・・フラッシュメモリ制御回路、２４９・・・フラッシュメモリ、２５３・・・スイッチ検知回路、２５５・・・その他のスイッチ、２５７・・・パワースイッチ、２５９・・・着脱検知スイッチ、２６０・・・ブレ補正駆動機構、２９６・・・アクチュエータ駆動回路、２９７・・・ブレ検出手段、２９７ａ・・・角速度センサ、２９７ｂ・・・角速度検出回路、２９０・・・撮像素子ユニット、３００・・・通信接点、４００・・・枠表示、４０１・・・枠表示
【図１】
2012008307.tif 000003
【図２】
2012008307.tif 000004
【図３】
2012008307.tif 000005
【図４】
2012008307.tif 000006
【図５】
2012008307.tif 000007
【図６】
2012008307.tif 000008
【図７】
2012008307.tif 000009
【図８】
2012008307.tif 000010
【図９】
2012008307.tif 000011
【図１０】
2012008307.tif 000012
【図１１】
2012008307.tif 000013
【図１２】
2012008307.tif 000014
【図１３】
2012008307.tif 000015
【図１４】
2012008307.tif 000016
【図１５】
2012008307.tif 000017
【図１６】
2012008307.tif 000018
【図１７】
2012008307.tif 000019
【図１８】
2012008307.tif 000020